(57)【要約】【課題】スライド蓋式ポータブル電子設備に用いるスライド蓋開閉装置を提供する。【解決手段】第一、第二、第三磁性部品16、18、22、伝動ユニット20、操作パーツ38を備え、第三磁性部品22は伝動ユニット20に設置し、第一、二磁極を備え、操作パーツ38は伝動ユニット20を駆動し、第一、二磁性部品16、18はスライド蓋14の第一、二位置に設置し、伝動ユニット20は本体に設置し、操作パーツ38が駆動されると、第三磁性部品22は伝動ユニット20により連動され、第三磁性部品22の第一磁極と第一磁性部品16は相互に反発し、相互反発磁力により、スライド蓋14は本体に対してオープン方向へと移動し、操作パーツ38がオープン位置へ操作されると共に、元の位置へ移動される。第三磁性部品22は伝動ユニット20により元の位置へと戻され、第三磁性部品22の第一磁極と第二磁性部品18とは相互に反発し、これにより、スライド蓋14は本体に対してクローズ方向へと移動される。【選択図】図１
0003163725.tif 000002
【実用新案登録請求の範囲】
【請求項１】
本体、前記本体において直線のスライド動を行うスライド蓋を備える、スライド蓋式ポータブル電子設備に用いるスライド蓋開閉装置であって、
第一磁性部品、第二磁性部品、伝動ユニット、操作パーツ、第三磁性部品を備え、
前記第一磁性部品は、前記スライド蓋の第一位置に固定し、前記第一磁性部品は、第一磁極を備え、
前記第二磁性部品は、前記スライド蓋の第二位置に固定し、しかも前記スライド蓋の第二位置は、第一位置に相対して離れており、前記第二磁性部品は、第一磁極を備え、
前記伝動ユニットは、前記本体に設置し、前記伝動ユニットは、第一伝動部品、第二伝動部品を備え、第三伝動部品は前記第一、二伝動部品と噛み合い、
前記操作パーツは、前記第一伝動部品に連接し、
前記第三磁性部品は、前記第二伝動部品に設置し、前記第三磁性部品は、第一磁極、及び相対する第二磁極を備え、しかも前記第三磁性部品は、前記第一磁極或いは第二磁極により、前記第一磁性部品の第一磁極、或いは前記第二磁性部品の第一磁極にそれぞれ対応し、前記各第一磁極の磁性は相互反発で、前記第三磁性部品の第二磁極の他の各第一磁極に対する磁性は、相互吸引で、
前記伝動ユニットは、前記操作パーツの駆動により伝動され、しかも前記伝動ユニットにより、前記第三磁性部品の第一磁極と前記第二磁極を連動し、位置を転換させることを特徴とするスライド蓋式ポータブル電子設備に用いるスライド蓋開閉装置。
【請求項２】
前記第一伝動部品は、第一歯部を備え、
前記第二伝動部品は、第二歯部を備え、
前記第三伝動部品は、第三歯部及び第四歯部を備え、
前記第三歯部と前記第一伝動部品の第一歯部とは、相互に噛み合い、前記第四歯部と前記第二伝動部品の第二歯部とは、相互に噛み合うことを特徴とする請求項１に記載のスライド蓋式ポータブル電子設備に用いるスライド蓋開閉装置。
【請求項３】
前記スライド蓋式ポータブル電子設備に用いるスライド蓋開閉装置はさらに、固定台を備え、前記第二伝動部品に連接し、これにより前記第三磁性部品を設置することを特徴とする請求項１に記載のスライド蓋式ポータブル電子設備に用いるスライド蓋開閉装置。
【請求項４】
前記本体は、窓口を備え、前記操作パーツを前記窓口に設置することを特徴とする請求項１に記載のスライド蓋式ポータブル電子設備に用いるスライド蓋開閉装置。
【請求項５】
本体、本体において直線のスライド動を行うスライド蓋を備える、スライド蓋式ポータブル電子設備に用いるスライド蓋開閉装置であって、
第一磁性部品、第二磁性部品、第三磁性部品を備え、
前記第一磁性部品は、前記スライド蓋の第一位置に設置し、
前記第二磁性部品は、前記スライド蓋の第二位置に設置し、しかも前記スライド蓋の第二位置は、前記第一位置に相対して間隔を開けて離れ、前記第二磁性部品と前記第一磁性部品とは、相同で相互反発の磁性を備え、
前記第三磁性部品は、前記本体に可動状態で接続し、前記スライド蓋の第一位置と第二位置との間に対応し、前記第三磁性部品は、少なくとも第一磁極を備え、前記第一磁極の磁性と前記第一磁性部品及び前記第二磁性部品の磁性とは、相互に反発し、前記第三磁性部品を転動させることで、前記第一磁極の位置を転換し、これにより前記第一磁性部品或いは前記第二磁性部品に対応することを特徴とするスライド蓋式ポータブル電子設備に用いるスライド蓋開閉装置。
【請求項６】
前記第三磁性部品はさらに、前記第一磁極に相対する第二磁極を備え、
前記第二磁極と前記第一磁極との磁性は、相互に異なり、しかも前記第二磁極と前記第一磁性部品及び前記第二磁性部品との磁性は、相互に吸引することを特徴とする請求項５に記載のスライド蓋式ポータブル電子設備に用いるスライド蓋開閉装置。
【請求項７】
前記スライド蓋式ポータブル電子設備に用いるスライド蓋開閉装置はさらに、伝動ユニット、操作パーツ、第三磁性部品を備え、
前記伝動ユニットは、前記本体に可動状態で接続し、前記スライド蓋の第一位置と第二位置との間に対応し、
前記操作パーツは、前記伝動ユニットに連接し、前記伝動ユニットを転回させ、
前記第三磁性部品は、前記伝動ユニット上に設置し、前記伝動ユニットは、前記操作パーツの駆動により伝動され、しかも前記伝動ユニットにより、前記第三磁性部品の第一磁極と前記第二磁極を連動し、位置を転換させることを特徴とする請求項６に記載のスライド蓋式ポータブル電子設備に用いるスライド蓋開閉装置。
【考案の詳細な説明】
【技術分野】
【０００１】
本考案はスライド蓋式ポータブル電子設備に用いるスライド蓋開閉装置に関し、特にシングル操作により自動オープン、クローズを制御可能なスライド蓋開閉装置であるスライド蓋式ポータブル電子設備に用いるスライド蓋開閉装置に関する。
【背景技術】
【０００２】
スライド蓋式携帯電話端末等のスライド蓋式ポータブル電子設備は、本体を備え、本体は、キーボード等のインプットユニットを備え、スライド蓋は、スライド可能状態で本体に設置する。これにより、本体のインプットユニットは、スライド蓋により遮蔽され、本体のインプットユニットへの誤接触を回避することができる。この種のポータブルスライド蓋電子設備において、そのスライド蓋の開閉装置は、手動、半自動、及び全自動に区分される。そのうち、手動のスライド蓋開閉装置は、使用者が操作しなければ、スライド蓋を本体の必要な位置までスライドさせることはできない。
【０００３】
Chen氏等が考案した特許文献１「Positioning  apparatus and method for a slide cover」に示すように、半自動のスライド蓋開閉装置は、第一磁極性を具える第一磁性部品と第二磁性部品、及び第二磁極性を具える第三磁性部品を掲示する。第一磁性部品と第二磁性部品は、設備主体或いはスライド蓋構造の上に配置され、第一磁性部品と第二磁性部品は、スライド蓋のスライド動方向に沿って異なる位置に設置される。一方、第三磁性部品は、第一磁性部品と第二磁性部品に相対し、スライド蓋構造或いは設備主体の上に配置する。この種のスライド蓋のスライド動機構においては、使用者がスライド蓋を操作し、設備主体に対して一定距離のスライドを行った後、スライド蓋は初めて使用者の力により設備に対して移動させられ、しかも設備主体とスライド蓋との間に設置する磁性部品が相互に吸引し合い定位することができる。
【０００４】
Jung氏等が考案した特許文献２「Slide  type cellular phone and sliding method thereof」に示すように、自動のスライド蓋開閉装置は、第一端末機体及び第二端末機体を備える。スライド動式ポータブル通信端末は、駆動ユニット、動力伝送ユニット、円柱形ハウジング、第一駆動機構、第二駆動機構、モーター駆動制御ユニットを備える。動力伝送ユニットは、駆動ユニットの回転軸棒の端部に連接し、第二端末機体の他端部に堅固に固定する。円柱形ハウジングは、第二端末機体に回転可能状態で設置する。第一駆動機構は、ハウジングの片側に固定する。第二駆動機構は、第一端末機体中に設置する。上記した構造において、動力伝送ユニットの回転制限とギア部品の選択的な噛み合いによりハウジングを転回させ、しかもハウジングが転動すると、第一駆動機構は、第二駆動機構に接触し、こうしてスライド式移動を行う。この種のスライド蓋のスライド動機構は、モーターの動力に頼り自動移動を行うため、スライド蓋を移動させる度にモーター駆動に必要な電力を消費する。すなわち、これは、携帯電話端末の電池量を消費することである。しかも、モーターは電子パーツと機構パーツを含むため、操作が不適当、或いは衝突により故障が発生し易い。
そこで、本考案は、従来のスライド蓋式ポータブル電子設備に用いるスライド蓋開閉装置の上記した欠点に鑑みてなされたものである。
【先行技術文献】
【特許文献】
【０００５】
【特許文献１】米国特許公開公報第 2005/0079902号
【特許文献２】米国特許第7,136,688号明細書
【考案の概要】
【考案が解決しようとする課題】
【０００６】
本考案が解決しようとする課題は、設備のエネルギーを消費せずに、スライド蓋を設備の本体上において制御可能な自動オープン及び自動クローズの機能を備えるスライド蓋式ポータブル電子設備に用いるスライド蓋開閉装置及びその方法を提供することである。
【課題を解決するための手段】
【０００７】
上記課題を解決するため、本考案は下記のスライド蓋式ポータブル電子設備に用いるスライド蓋開閉装置を提供する。スライド蓋式ポータブル電子設備に用いるスライド蓋開閉装置は、本体、及びスライド蓋を備え、前記スライド蓋は、該本体において直線のスライド動を行い、開閉装置は、第一磁性部品を備え、該スライド蓋の第一位置に固定し、該第一磁性部品は、第一磁極を備え、該第二磁性部品は、スライド蓋の第二位置に固定し、しかも該スライド蓋の第二位置は、第一位置に相対して離れており、前記第二磁性部品は、第一磁極を備え、伝動ユニットは、前記本体に設置し、前記伝動ユニットは、第一伝動部品、第二伝動部品を備え、第三伝動部品は前記第一、二伝動部品と噛み合い、操作パーツは、前記第一伝動部品に連接し、第三磁性部品は、前記第二伝動部品に設置し、前記第三磁性部品は、第一磁極、及び相対する第二磁極を備え、しかも前記第三磁性部品は、前記第一磁極或いは第二磁極により、前記第一磁性部品の第一磁極、或いは前記第二磁性部品の第一磁極にそれぞれ対応し、前記各第一磁極の磁性は相互反発で、前記第三磁性部品の第二磁極の他の各第一磁極に対する磁性は、相互吸引で、該伝動ユニットは前記操作パーツの駆動により伝動され、該第三磁性部品の第一磁極と第二磁極とは位置を転換し、該第一伝動部品は、第一歯部を備え、該第二伝動部品は、第二歯部を備え、該第三伝動部品は、第三歯部及び第四歯部を備え、前記第三歯部と前記第一伝動部品の第一歯部とは、相互に噛み合い、前記第四歯部と前記第二伝動部品の第二歯部とは、相互に噛み合い、さらに固定台を備え、第二伝動部品に連接し、これにより前記第三磁性部品を設置し、スライド蓋式ポータブル電子設備に用いるスライド蓋開閉装置は、ポータブル電子設備本体、及びスライド蓋を備え、前記スライド蓋は、本体において直線のスライド動を行い、スライド蓋開閉装置は、第一磁性部品を備え、該スライド蓋の第一位置に設置し、該第二磁性部品は、該スライド蓋の第二位置に設置し、しかも前記スライド蓋の第二位置は、前記第一位置に相対して間隔を開けて離れ、前記第二磁性部品と前記第一磁性部品とは、相同で相互反発の磁性を備え、第三磁性部品は、本体に可動状に設置し、前記スライド蓋の第一位置と第二位置との間に対応し、前記第三磁性部品は、少なくとも第一磁極を備え、前記第一磁極の磁性と前記第一磁性部品及び前記第二磁性部品の磁性とは、相互に反発し、第三磁性部品を転動させることで、第一磁極は位置を転換し、これにより前記第一磁性部品或いは前記第二磁性部品に対応し、第三磁性部品はさらに、前記第一磁極に相対する第二磁極を備え、前記第二磁極と前記第一磁極との磁性は、相互に異なり、しかも前記第二磁極と前記第一磁性部品及び前記第二磁性部品との磁性は、相互に吸引し、さらに、伝動ユニットを備え、本体に可動状で設置し、前記スライド蓋の第一位置と第二位置との間に対応し、操作パーツは伝動ユニットに連接し、前記伝動ユニットを転回させ、第三磁性部品は伝動ユニット上に設置し、前記伝動ユニットは、前記操作パーツの駆動により伝動され、しかも前記伝動ユニットにより、前記第三磁性部品の第一磁極と前記第二磁極を連動し、位置を転換させる。
【考案の効果】
【０００８】
本考案のスライド蓋式ポータブル電子設備に用いるスライド蓋開閉装置は、設備のエネルギーを消費せずに、スライド蓋を設備の本体上において制御可能で、自動オープン及び自動クローズの機能を備えるという効果を奏する。
【図面の簡単な説明】
【０００９】
【図１】本考案実施例のスライド蓋式ポータブル電子設備の配置模式図である。
【図２】本考案実施例のスライド蓋のクローズ時の模式図である。
【図３】本考案実施例のスライド蓋のオープン時の模式図である。
【図４】本考案実施例のスライド蓋と本体との間のスライド動機構配置の模式図である。
【考案を実施するための形態】
【００１０】
以下に図面を参照しながら本考案を実施するための最良の形態について詳細に説明する。
【００１１】
図１に示すように、本考案一実施例の電子設備は、ポータブル通信装置等である。それは、本体12、スライド蓋14、第一磁性部品16、第二磁性部品18、伝動ユニット20、第三磁性部品22を備える。
【００１２】
スライド蓋14は、本体12において直線のスライド動を行う。第一磁性部品16は、スライド蓋14の第一位置に固定する。第二磁性部品18は、スライド蓋14の第二位置に固定する。スライド蓋の第二位置は、第一位置に相対して離れている。
【００１３】
伝動ユニット20は、本体12に設置する。第三磁性部品22は、伝動ユニット20に設置し、伝動ユニット20の伝動により、第三磁性部品22の磁極の位置を制御し転換させ、第一、第二磁性部品16、18に相対させる。第一磁性部品16は、N極或いはS極等である第一磁極24を備える。本実施例中では、第一磁極24はN極を例として説明する。第二磁性部品18は、第一磁極26を備え、第一磁極26と第一磁性部品16の第一磁極24の磁極性は相同である。
【００１４】
伝動ユニット20は、第一伝動部品32、第二伝動部品34、及び第一、二伝動部品32、34に噛み合う第三伝動部品36を備える。しかも、伝動ユニット20はさらに、第二伝動部品34に連接する固定台30を備える。第一伝動部品32は、第一歯部33を備える。第二伝動部品34は、第二歯部35を備える。第三伝動部品36は、第三歯部37a及び第四歯部37bを備える。第三歯部37aと第一伝動部品32の第一歯部33とは、相互に噛み合う。第四歯部37bと第二伝動部品34の第二歯部35とは、相互に噛み合う。本実施例中では、第一、第二、第三伝動部品32、34、36は、歯車伝動機構を構成する。
【００１５】
第一伝動部品32は、操作パーツ38を備え、本体12において露出することが好ましく、これにより使用者は操作パーツ38を操作して、第一伝動部品32の伝動を連動することができる。操作パーツ38と第一伝動部品32とは、一体成型、或いは別々の構成部材を相互に組合せて成型することができる。
【００１６】
第三磁性部品22は、固定台30に設置することが好ましく、しかも第三磁性部品22は少なくとも、N極等の第一磁極40を備え、或いはさらにS極等の第二磁極42を備える。第三磁性部品22の第一磁極40は、そのもとの位置においては、第二磁性部品18の第一磁極26に相対し、しかも第二磁性部品18の第一磁極26の磁性と、相互に反発する。第三磁性部品22の第二磁極42は、そのもとの位置においては、第一磁性部品16の第一磁極24に相対し、しかも第一磁性部品16の第一磁極24の磁性と相互吸引する。
【００１７】
本体12は、窓口44を備えることが好ましく、これにより操作パーツ38を設置して露出させ、しかも窓口44は、操作パーツ38を移動させられる空間を備える。操作パーツ38が使用者に操作され移動すると、伝動ユニット20は駆動されて第三磁性部品22の第一磁極40を連動し、第二磁極42の位置を転換して、第一磁性部品16及び第二磁性部品18に相対させる。
【００１８】
図２は、スライド蓋14が本体12に対してクローズの位置にある状態を示す。この状態において、スライド蓋14は、第一磁性部品16の第一磁極24(N極等)と第三磁性部品22の第二磁極42(S極等)との間の磁性相互吸引により定位され、こうしてスライド蓋14は、本体12に相対し、図２に示すようなクローズ位置に安定的に保持される。
【００１９】
図３は、スライド蓋14が本体12に対してオープンの位置にある状態を示す。その操作方式を以下に説明する。操作パーツ38が使用者によって、そのもとの位置より第一方向(図中の矢印方向F1に示す)に向かい、本体12の窓口44のオープン位置まで移動すると、伝動ユニット20は駆動される。これにより、第三磁性部品22の第一磁極40(N極)は、そのもとの位置より180度移動して転換し、第一磁性部品16の第一磁極24(N極)に相対する。こうして、第三磁性部品22の第一磁極40(N極)と第一磁性部品16の第一磁極24(N極)とは、磁性相互反発作用を生じる。
【００２０】
さらに、第三磁性部品22の第二磁極42(S極)は、そのもとの位置より転換して、第二磁性部品18の第一磁極26(N極)に相対し、こうして第三磁性部品22の第二磁極42(S極)と第二磁性部品18の第一磁極26(N極)とは、磁性相互吸引作用を生じる。これにより、本体12の第三磁性部品22が連動されると、第一磁極40(N極)はそのもとの位置より180度移動し、スライド蓋14の第一磁性部品16の第一磁極24(N極)に相対する。この時の第一磁性部品16と第三磁性部品22との間の磁性は相互反発であるため、スライド蓋14は、磁性の相互反発力により押し上げられ、本体12に相対して一定距離のスライドを行う。こうしてさらに、スライド蓋14の第二磁性部品18の第一磁極26(N極)は、第三磁性部品22の第二磁極42(S極)に近づく。この状態において、第三磁性部品22と第二磁性部品18との磁性は、相互吸引であるため定位される。よって、使用者が操作パーツ38を操作することにより、スライド蓋14は本体12に対して自動的にオープンし、このオープン状態を保持することができる。
【００２１】
本体12におけるスライド蓋14のオープン状態からクローズ状態への操作は、以下の通りである。使用者が、操作パーツ38を、第二方向(図３中の矢印方向F2に示す)へと、本体12の窓口44のオープン位置からそのもとの位置まで移動させると、伝動ユニット20は駆動され、第三磁性部品22の第一磁極40(N極)を180度移動させる。これにより、第三磁性部品22の第一磁極40(N極)は転換して、第二磁性部品18の第一磁極26(N極)に相対し、第三磁性部品22の第一磁極40(N極)と第二磁性部品18の第一磁極26(N極)とは、磁性相互反発作用を生じる。
【００２２】
また、第三磁性部品22の第二磁極42(S極)は、移動して、第一磁性部品16の第一磁極24(N極)に相対し、これにより第三磁性部品22の第二磁極42(S極)と第一磁性部品16の第一磁極24(N極)とは、磁性相互吸引作用を生じる。こうして、操作パーツ38が使用者にクローズを操作されると、本体12の第三磁性部品22は連動され、第一磁極40(N極)は180度移動し、スライド蓋14の第二磁性部品18の第一磁極26(N極)に相対する。この時、第二磁性部品18と第三磁性部品22との間の磁性は相互反発であるため、スライド蓋14は磁性の相互反発力により押し上げられ、本体12に対してスライドし一定の距離で戻り、さらにスライド蓋14の第一磁性部品16の第一磁極24(N極)は、第三磁性部品22の第二磁極42(S極)に近づく。この状態において、第三磁性部品22と第一磁性部品16との間の磁性は、相互吸引で定位される。よって、スライド蓋14は、本体12に対して、使用者が操作パーツ38を操作することで自動クローズし、図２に示すように、このクローズ状態を保持することができる。
【００２３】
図４は、本体12が備える一対の直線式ガイド棒46を示す。スライド蓋14は、一対のスライド台48を備え、スライド可能状態で、それぞれガイド棒46に連接する。
これにより、スライド蓋14は、本体12に対して、スライド移動を行うことができる。但し、本考案のスライド蓋14の本体12との間のスライド機構設計は、スライド形態の例に過ぎず、この種のスライド設計は、ボール(balls)、ローラー(rollers)、或いは他のスライドパーツ或いは機構を採用して達成することができる。
【００２４】
上記したように、本考案は操作パーツ38を制御することで、スライド蓋14を制御し、本体12に対して自動オープン或いはクローズを行うことができる。特に、本考案のスライド蓋14は、本体12上において自動オープン或いは自動クローズが可能だが、何れもスライド蓋式ポータブル電子設備の電池の電力を消費することはない。
【００２５】
上記の本考案名称と内容は、本考案技術内容の説明に用いたのみで、本考案を限定するものではない。本考案の精神に基づく等価応用或いは部品(構造)の転換、置換、数量の増減はすべて、本考案の保護範囲に含むものとする。
【産業上の利用可能性】
【００２６】
本考案は実用新案の要件である新規性を備え、従来の同類製品に比べ十分な進歩性を有し、実用性が高く、社会のニーズに合致しており、産業上の利用価値は非常に大きい。
【符号の説明】
【００２７】
12  本体
14  スライド蓋
16  第一磁性部品
18  第二磁性部品
20  伝動ユニット
22  第三磁性部品
24  第一磁極
26  第一磁極
30  固定台
32  第一伝動部品
33  第一歯部
34  第二伝動部品
35  第二歯部
36  第三伝動部品
37a 第三歯部
37b 第四歯部
38  操作パーツ
40  第一磁極
42  第二磁極
44  窓口
46  ガイド棒
48  スライド台
【図１】
0003163725.tif 000003
【図２】
0003163725.tif 000004
【図３】
0003163725.tif 000005
【図４】
0003163725.tif 000006